(57)【特許請求の範囲】
【請求項１】
対象者の血圧測定の測定時刻情報である血圧測定時刻情報を記憶する血圧測定時刻情報記憶部と、
前記血圧測定の動作の測定開始指示情報を入力する測定開始指示情報入力部と、
測定された対象者の血圧測定結果情報を表示する表示部と、
前記血圧測定の動作の間隔情報である血圧測定間隔情報を記憶する血圧測定間隔情報記憶部と、を有し、
少なくとも、直近の前記血圧測定時刻情報と前記測定開始指示情報との間の時間を演算し、該演算した時間と前記血圧測定間隔情報との比較に基づいて、当該前記血圧測定の動作を実行すべきか否かを判断し、その結果を前記表示部に表示することを特徴とする血圧測定装置。
【請求項２】
前記直近の血圧測定時刻情報の前記血圧測定の対象者が、前記測定動作開始指示情報の入力時まで変更されていないことを条件に、当該前記血圧測定の動作を開始すべきか否かを判断することを特徴する請求項１に記載の血圧測定装置。
【請求項３】
当該前記血圧測定の動作を実行すべきでないと判断したとき、その旨を表示すると共に、前記血圧測定間隔情報を前記表示部に表示することを特徴とする請求項１又は請求項２に記載の血圧測定装置。
【請求項４】
複数の前記血圧測定結果情報が同一機会において取得され、一群の前記血圧測定結果情報として評価される同一機会血圧測定結果情報群に該当するか否かの同一機会基準情報を記憶する同一機会基準情報記憶部を有し、
前記同一機会基準情報に該当する前記血圧測定結果情報を前記同一機会血圧測定結果情報群として、相互に関連付けて前記表示部に表示させることを特徴とする請求項１乃至請求項３のいずれか１項に記載の血圧測定装置。
【請求項５】
前記同一機会血圧測定結果情報群を前記表示部に表示するときは、少なくとも、前記同一機会血圧測定結果情報群に該当する前記血圧測定結果情報の平均値情報及び前記血圧測定結果情報群の間の測定間隔時間情報も併せて表示することを特徴とする請求項１乃至請求項４のいずれか１項に記載の血圧測定装置。
【請求項６】
当該前記血圧測定の動作を実行すべきでないと判断したときは、再び、前記測定開始指示情報が入力されるまで当該前記血圧測定の動作が実行されないことを特徴とする請求項１乃至請求項５のいずれか１項に記載の血圧測定装置。
【請求項７】
対象者の血圧測定の測定時刻情報である血圧測定時刻情報を記憶する血圧測定時刻情報記憶部と、
前記血圧測定の動作の測定開始指示情報を入力する測定開始指示情報入力部と、
測定された対象者の血圧測定結果情報を表示する表示部と、
前記血圧測定の動作の間隔情報である血圧測定間隔情報を記憶する血圧測定間隔情報記憶部と、を有する血圧測定装置における血圧情報表示方法であって、
少なくとも、直近の前記血圧測定時刻情報と前記測定開始指示情報との間の時間を演算し、該演算した時間と前記血圧測定間隔情報との比較に基づいて、当該前記血圧測定の動作を実行すべきか否かを判断し、その結果を前記表示部に表示することを特徴とする血圧情報表示方法。
【発明の詳細な説明】
【技術分野】
【０００１】
本発明は、例えば、対象者の血圧を測定し、その結果を表示する血圧測定装置及び血圧情報表示方法に関するものである。
【背景技術】
【０００２】
従来より、対象者の血圧を測定する装置として血圧測定装置が用いられている（例えば、特許文献１）。
このような血圧測定装置を用いて血圧を測定する際、使用者は、より確実な結果を得ようとして、複数回、連続して血圧測定を行う場合がある。
しかし、血圧測定装置は、対象者の血管を押圧等する動作を伴うため、血圧測定を複数回連続で行うときは、鬱血等により、その測定結果の精度が低下するおそれがある。このため、連続して血圧測定を行う場合を、ある程度間隔を開けて行うことが好ましい。
【先行技術文献】
【特許文献】
【０００３】
【特許文献１】特開２０１１−２３４８７６号公報（図１等）
【発明の概要】
【発明が解決しようとする課題】
【０００４】
しかし、連続して血圧測定をする場合、使用者に、適度な間隔を開けて、測定することを強いることは困難であり、このため精度の低い測定結果が表示され、使用者が困惑するという問題があった。
【０００５】
そこで、本発明は、血圧測定の精度の低下等を未然に防止することができる血圧測定装置及び血圧情報表示方法を提供することを目的とする。
【課題を解決するための手段】
【０００６】
上記目的は、本発明にあっては、対象者の血圧測定の測定時刻情報である血圧測定時刻情報を記憶する血圧測定時刻情報記憶部と、前記血圧測定の動作の測定開始指示情報を入力する測定開始指示情報入力部と、測定された対象者の血圧測定結果情報を表示する表示部と、前記血圧測定の動作の間隔情報である血圧測定間隔情報を記憶する血圧測定間隔情報記憶部と、を有し、少なくとも、直近の前記血圧測定時刻情報と前記測定開始指示情報との間の時間を演算し、該演算した時間と前記血圧測定間隔情報との比較に基づいて、当該前記血圧測定の動作を実行すべきか否かを判断し、その結果を前記表示部に表示することを特徴とする血圧測定装置により達成される。
【０００７】
前記構成によれば、直近の血圧測定時刻情報及び測定開始指示情報の入力時刻情報から血圧測定の実際の間隔時間情報を取得することができる。また、血圧測定間隔情報と、この実際の間隔時間情報とを比較することで、当該実際の間隔時間情報が、血圧測定の間隔時間として適切か否かを判断することができる。
また、その判断結果は表示部に表示されるので、血圧測定の対象者に精度の低い血圧測定を行うことを報知することができる。
【０００８】
好ましくは、前記直近の血圧測定時刻情報の前記血圧測定の対象者が、前記測定動作開始指示情報の入力時まで変更されていないことを条件に、当該前記血圧測定の動作を開始すべきか否かを判断することを特徴する。
【０００９】
前記構成によれば、直近の血圧測定時刻情報の血圧測定の対象者が、測定動作開始指示情報の入力時まで変更されていないことを条件に、当該血圧測定の動作を開始すべきか否かを判断する。
連続した血圧測定であっても、その前と後の測定対象者が相違すれば、鬱血等による血圧測定の弊害は生じない。したがって、上記構成では、血圧測定の対象者に変更があった場合は、血圧測定の間隔を問題にすることなく血圧測定を開始させることができる。
このように、上記構成では、同一対象者が連続して血圧測定する場合にのみ、血圧測定の開始の適否を判断するので、効果的な判断を行うことができる。
【００１０】
好ましくは、当該前記血圧測定の動作を実行すべきでないと判断したとき、その旨を表示すると共に、前記血圧測定間隔情報を前記表示部に表示することを特徴とする。
【００１１】
前記構成によれば、当該血圧測定の動作を実行すべきでないと判断したとき、その旨を表示すると共に、血圧測定間隔情報が表示部に表示される。したがって、連続して血圧測定するとその精度が低下することを使用者に報知できる。また、好適な血圧測定が可能な時間も使用者に知らせることができる。
【００１２】
好ましくは、複数の前記血圧測定結果情報が同一機会において取得され、一群の前記血圧測定結果情報として評価される同一機会血圧測定結果情報群に該当するか否かの同一機会基準情報を記憶する同一機会基準情報記憶部を有し、前記同一機会基準情報に該当する前記血圧測定結果情報を前記同一機会血圧測定結果情報群として、相互に関連付けて前記表示部に表示させることを特徴とする。
【００１３】
前記構成によれば、例えば、起床時等のような同一機会において取得され、一群の血圧測定結果情報として評価される同一機会血圧測定結果情報群は、これらを別個に記憶することなく、相互に関連付けて表示される。
したがって、必要な場合に、これらを一群の同一機会血圧測定結果情報群として、まとめて表示部に表示させることができ、対象者及び医師等が血圧情報を正確に把握することができる。
【００１４】
好ましくは、前記同一機会血圧測定結果情報群を前記表示部に表示するときは、少なくとも、前記同一機会血圧測定結果情報群に該当する前記血圧測定結果情報の平均値情報及び前記血圧測定結果情報群の間の測定間隔時間情報も併せて表示することを特徴とする。
【００１５】
前記構成によれば、同一機会血圧測定結果情報群を前記表示部に表示するときは、少なくとも、同一機会血圧測定結果情報群に該当する血圧測定結果情報の平均値情報及び血圧測定結果情報群の間の測定間隔時間情報も併せて表示する。
このため、この情報を視認する医師等は、これら同一機会血圧測定結果情報群の各情報をより詳細に把握でき、対象者の体調等をより詳細に知ることができる。
【００１６】
好ましくは、当該前記血圧測定の動作を実行すべきでないと判断したときは、再び、前記測定開始指示情報が入力されるまで当該前記血圧測定の動作が実行されないことを特徴とする。
【００１７】
前記構成によれば、当該血圧測定の動作を実行すべきでないと判断したときは、再び、測定開始指示情報が入力されるまで当該血圧測定の動作が実行されないので、精度の低い血圧測定が予測される場合は、その実行を未然に防止することができる。
【００１８】
前記目的は、本発明によれば、対象者の血圧測定の測定時刻情報である血圧測定時刻情報を記憶する血圧測定時刻情報記憶部と、前記血圧測定の動作の測定開始指示情報を入力する測定開始指示情報入力部と、測定された対象者の血圧測定結果情報を表示する表示部と、前記血圧測定の動作の間隔情報である血圧測定間隔情報を記憶する血圧測定間隔情報記憶部と、を有する血圧測定装置における血圧情報表示方法であって、少なくとも、直近の前記血圧測定時刻情報と前記測定開始指示情報との間の時間を演算し、該演算した時間と前記血圧測定間隔情報との比較に基づいて、当該前記血圧測定の動作を実行すべきか否かを判断し、その結果を前記表示部に表示することを特徴とする血圧情報表示方法により達成される。
【発明の効果】
【００１９】
以上説明したように、本発明によれば、血圧測定の精度の低下等を未然に防止することができる血圧測定装置及び血圧情報表示方法を提供することができる。
【図面の簡単な説明】
【００２０】
【図１】血圧測定装置である例えば、血圧計を示す概略図である。
【図２】図１に示す血圧計の主な構成を示す概略ブロック図である。
【図３】各種情報記憶部の主な内容を示す概略ブロック図である。
【図４】本実施の形態に係る血圧計の主な動作等を示す概略フローチャートである。
【図５】本実施の形態に係る血圧計の主な動作等を示す他の概略フローチャートである。
【図６】ディスプレイにアラート（警報）が表示され、測定開始までの残時間が表示された画面例を示す概略説明図である。
【図７】ディスプレイに「測定を開始してください」と表示された画面例を示す概略説明図である。
【図８】ディスプレイに今回のみの血圧測定結果情報を表示した画面例を示す概略説明図である。
【図９】同一機会判定結果情報の画面例を示す概略説明図である。
【発明を実施するための形態】
【００２１】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。
【００２２】
図１は、血圧測定装置である例えば、血圧計１を示す概略図である。
図１に示すように、血圧計１は、血圧計本体１０と、実際の対象者の上腕に巻かれるなどにより、対象者の上腕を押圧等するカフ装置４０とを有している。また、血圧計本体１０とカフ装置４０とは接続され、カフ装置４０は、血圧計本体１０により空気圧等の制御が可能な構成となっている。
【００２３】
また、図１に示すように血圧計本体１０は、表示部である例えば、ディスプレイ１１を有し、対象者の血圧測定にかかる血圧情報である血圧測定結果情報を表示することができる構成となっている。
【００２４】
また、図１に示す血圧計１は、コンピュータを有し、コンピュータは、図示しないＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等を有し、これらは、バスを介して接続されている。
【００２５】
図２は、図１に示す血圧計１の主な構成を示す概略ブロック図である。
図２に示すように、血圧計１は、図１に示すカフ装置４０を有するが、このカフ装置４０は、血圧測定の対象者の腕に巻かれているか否かを判断するカフ着脱センサ４１を有している。
したがって、対象者が図１等に示すカフ装置４０を取り外したときは、このカフ着脱センサ４１が取り外しを検知する構成となっている。
【００２６】
また、図２に示すように血圧計本体１０は、血圧計制御部１２を有している。また、血圧計本体１０は、血圧測定等のための動作を担当する血圧計本体部１３及び図１に示すディスプレイ１１を有している。さらに、血圧計本体部１３等を動作させ、血圧測定を開始させる、すなわち、測定開始指示情報を入力する測定開始指示情報入力部である例えば、測定開始ボタン１４及び時刻情報を生成する計時装置１５等を有している。そして、これらは、血圧計制御部１２で制御される構成となっている。
【００２７】
また、血圧計制御部１２は、図２に示す各種処理部（プログラム）や各種情報記憶部３０も制御しているが、これらの構成については、後述する。
図３は、各種情報記憶部３０の主な内容を示す概略ブロック図である。図３の詳細な内容も後述する。
【００２８】
図４及び図５は、本実施の形態に係る血圧計１の主な動作等を示す概略フローチャートである。
先ず、血圧を測定しようとする対象者は、図１のカフ装置４０を自己の腕、例えば、上腕に巻き、血圧測定の準備を行う。その後、図２の血圧計本体１０に設けられている「測定ボタン１４を押下することで、測定開始指示情報が血圧計本体１０に入力されることになる。
【００２９】
したがって、血圧計１は、図４のステップＳＴ（以下「ＳＴ」とする。）１で、「測定開始ボタン１４」が押下されたか否かを判断する。
ＳＴ１で、「測定開始ボタン１４」が押下されたと判断したときは、ＳＴ２へ進む。ＳＴ２では、図２の「計時装置１５」を参照し、測定開始ボタン１４を押下した時刻情報を、図３の「測定開始ボタン押下時刻情報記憶部１７」に記憶する。
具体的には、図２の「測定開始ボタン押下時刻情報入力処理部（プログラム）１６」が動作するが、これにより、血圧計１は、対象者等が「測定開始ボタン１４」を押下した時刻情報を取得することができる。
【００３０】
次いで、ＳＴ３へ進む。ＳＴ３では、今回の「測定開始ボタン押下時刻情報」が、直近である前回の血圧測定の時刻から例えば、２分間が経過したか否かが判断される。
一般的に、血圧計１で血圧を測定するときは、カフ装置４０で対象者の上腕を締め付ける動作を伴うが、この動作により、対象者の血管が押圧され、鬱血等の状態が生じる。そして、この状態で血圧測定を行うと、測定された血圧値が実際の血圧値より低めとなり、血圧測定の精度が下がることになる。
【００３１】
このような事態の発生を防ぐためには、連続して血圧を測定するときは、その間隔を例えば、２分間保持することが必要となる。
そこで、本実施の形態では、血圧測定の動作の間隔情報である血圧測定間隔情報を例えば、２分間として、「血圧測定間隔情報記憶部３２」に予め記憶する。
【００３２】
そして、ＳＴ３では、前回の血圧測定結果情報が、その測定時刻情報と関連付けて記憶されている「測定血圧情報記憶部３３」を参照し、前回の測定時刻情報を取得する。
一方、ＳＴ１で、押下された「測定開始ボタン１４」の「測定開始ボタン押下情報」を図３の「測定開始ボタン押下時刻情報記憶部３１」から取得する。
そして、前回の測定時刻情報と測定開始ボタン押下情報との間の時間を演算し、その時間（実際の血圧測定間隔情報）が、上述の「２分間」より長いか否かを判断することで、今回の血圧測定が、適切な測定間隔を開けているか否かを判断する構成となっている。
これらの動作は、具体的には、図２の「不十分間隔連続測定判断処理部（プログラム）１７」が実行する
【００３３】
ＳＴ３で、前回の血圧測定から２分以上が経過していると判断された場合は、上述のような鬱血等が発生せず、精度の低い血圧測定となるおそれがないため、後述のように、図２の「血圧計本体部１３」が動作し、血圧測定が実行される。
【００３４】
一方、ＳＴ３で、前回の血圧測定から２分以上が経過していないと判断された場合は、ＳＴ４へ進む。ＳＴ４では、図３の「測定血圧情報記憶部３３」を参照し、前回の血圧測定結果情報の測定時刻情報を取得する。
また、図３の「カフ取り外し情報記憶部３４」を参照する。この情報について以下、説明する。
【００３５】
本実施の形態では、図２に示すように、カフ装置４０には「カフ着脱センサ４１」が備わっており、対象者がカフ装置４０を装着し、血圧測定が終了した後、カフ装置４０を上腕等から取り外すと、その取り外しを検知することができる構成となっている。
また、本実施の形態では、この「カフ着脱センサ４１」の検知情報が血圧計１０に入力されると、計時装置１５の時刻情報と関連付けて、図３の「カフ取り外し情報記憶部３４」に、取り外し時刻と共に記憶される構成となっている。
そして、このカフ装置４０を取り外した旨の情報は、対象者が変更となった蓋然性が高いことの情報となる。
【００３６】
一方、カフ装置４０を取り外した旨の情報が検知されなかった情報は、対象者が変更されず、そのまま連続して血圧測定を実行しようとしている蓋然性が高いことの情報となる。
【００３７】
そこで、本実施の形態では、「測定血圧情報記憶部３３」を参照し、前回の血圧測定結果情報の測定時刻情報を取得する。また、図３の「カフ取り外し情報記憶部３４」を参照し、前回の血圧測定結果情報の測定時刻後のカフ取り外しの検知情報が存在するか否かを判断する。
そして、カフ取り外しの検知情報が存在する場合は、対象者の変更があったと判断し、カフ取り外しの検知情報が存在しないときは、対象者の変更がなく連続した血圧測定が実行されようとしていると判断する。
この動作は、図２の「カフ取り外し情報存否判断処理部（プログラム）１８」が実行する。
【００３８】
上述のように、カフ装置４０による血管の押圧による鬱血等は、同一人の連続した血圧測定に起因するものであり、対象者の変更があった場合は、当然ながら問題とならない。
したがって、本実施の形態では、このように連続した血圧測定の弊害が生じない場合は排除し、生じる可能性が高い、同一人による連続した血圧測定のみを対象とすることで、より精度の高い判断を行うことができる構成となっている。
【００３９】
ＳＴ４で、カフ取り外しの検知情報が存在しない場合は、同一人による連続した血圧測定であると判断して、ＳＴ５へ進む。
【００４０】
ＳＴ５では、図１のディスプレイ１１に「アラート（警報）が表示され、適切な血圧測定間隔情報（前回の血圧測定結果情報の測定時刻から２分間）までの残時間が表示される。
図６は、ディスプレイ１１にアラート（警報）が表示され、測定開始までの残時間が表示された画面例を示す概略説明図である。
図６に示すように、「前回測定から２分間間隔をあけてください」というアラートと、「残り時間」が表示されることになる。
【００４１】
したがって、このような表示を視認した血圧測定をしようとする対象者は、自己が精度の低い血圧測定を実行しようとしていることが分かると共に、適切な血圧測定間隔までの残り時間も分かる。このため、精度の低い血圧測定の実行を未然に回避することができる。
【００４２】
次いで、ＳＴ６へ進む。ＳＴ６では、前回の血圧測定結果情報の測定時刻から２分以上経過したか否かが判断され、２分以上経過したとき、すなわち、図６の残り時間が「０（ゼロ）」となったとき、ＳＴ７へ進む。
【００４３】
ＳＴ７では、ディスプレイ１１に「測定を開始してください」と表示される。図７は、ディスプレイ１１に「測定を開始してください」と表示された画面例を示す概略説明図である。
図７に示すように、ディスプレイ１１の表示を視認した対象者は、適切な血圧測定間隔となったことを知ることができる。
【００４４】
次いで、ＳＴ８で、血圧測定をしようとする対象者等が「測定開始ボタン１４」を押下したか否かを判断し、ＳＴ９で、当該「測定開始ボタン押下時刻情報」を記憶する。
これらの工程は、図４のＳＴ１とＳＴ２と同様である。すなわち、本実施の形態では、適切な血圧測定間隔時間である「２分間」を経過しない段階で、最初に「測定開始ボタン１４」を押下しても、血圧計本体部１３は血圧測定を開始しない構成となっている。
【００４５】
そして、適切な血圧測定間隔時間である２分間が経過し、その後、再び「測定開始ボタン１４」を押下すると血圧測定が開始する構成となっている。
したがって、本実施の形態では、精度の低い連続した血圧測定を未然に回避する構成ともなっている。
【００４６】
なお、本発明では、本実施の形態と異なり、２分間以内の連続した血圧測定の場合、そのアラームをディスプレイ１１に表示するだけで、対象者等が「測定開始ボタン１４」を押下すれば、２分間以内でも血圧計本体部１３が動作を開始する構成とすることもできる。
【００４７】
次いでＳＴ１０へ進む。ＳＴ１０では、図２の血圧計本体部１３が動作し、カフ装置４０を動作させ、血圧測定が実行される。
また、血圧測定動作で取得された血圧測定結果情報（例えば、最高血圧、最低血圧及び脈拍等）は、図２の計時装置１５から取得した当該測定時の時刻情報である血圧測定時刻情報と関連付けて、図３の「測定血圧情報記憶部３３」に記憶される。
このため「測定血圧情報記憶部３３」は、血圧測定時刻情報記憶部の一例となっている。
【００４８】
次いで、ＳＴ１１へ進む。ＳＴ１１では、前回の血圧の測定結果情報の測定時刻と、今回の測定結果情報の測定時刻の差を求め、その差が１０分以上であるか否かを判断する。
ここで、この１０分間の意義について説明する。
血圧計１で取得される血圧測定結果情報は、例えば、起床時等の同一機会において連続して複数得られることが多く、その複数の血圧測定結果情報は、同じ起床時の血圧情報として関係の深い情報となっている。
【００４９】
そこで、本実施の形態では複数の血圧測定結果情報が起床時等の同一機会において取得され、一群の血圧測定結果情報として評価される同一機会血圧測定結果情報群を図３の「測定血圧情報記憶部３３」から抽出して、相互に関連付けてディスプレイ１１に表示させる構成となっている。
そして、この「同一機会」であるか否かの「同一機会基準情報」として、本実施の形態では、例えば、「１０分間」の基準を採用し、この「１０分間」内の一群の血圧測定結果情報は、例えば、起床時等と同じ、同一機会として、評価すべきものとしている。
【００５０】
具体的には、この「１０分間」の情報は、図３に示す同一機会基準情報記憶部３５に記憶されている。
したがって、ＳＴ１１で、前回の血圧の血圧測定結果情報の測定時刻と、今回の血圧測定結果情報の測定時刻の差を求め、その差が１０分以上であるか否かを判断することで、それらの血圧測定結果情報群が起床時等の同一機会で測定された情報か否かを判断することができる構成となっている。
【００５１】
なお、ＳＴ１１以下のフローチャート上で省略されているが、ＳＴ１１の工程は、図３の「カフ取り外し情報記憶部３４」の情報等から、複数の血圧測定結果情報が同一人の情報であると判断された場合に実行される。
具体的には、図２の「同一機会判断処理部（プログラム）１９」が、「測定血圧情報記憶部３３」及び「同一機会基準情報記憶部３５」を参照して判断する。
【００５２】
ＳＴ１１で、前回測定の時刻と今回測定の時刻の差が１０分以上であると判断されたとき、すなわち、起床時等の同一機会内の情報が複数存在していないときは、ＳＴ１２へ進む。
ＳＴ１２では、図１等のディスプレイ１１に、今回の血圧測定結果情報である最高血圧、最低血圧及び脈拍数等を表示する。
図８は、ディスプレイ１１に今回のみの血圧測定結果情報を表示した画面例を示す概略説明図である。
図８に示すように、ディスプレイ１１には、今回の最高血圧、最低血圧及び脈拍数が表示される。
【００５３】
次いで、ＳＴ１３へ進み、当該血圧測定結果情報が「測定血圧情報記憶部３３」に記憶される。
【００５４】
一方、ＳＴ１１で、前回測定の時刻と今回測定の時刻の差が１０分以上でないと判断されたとき、すなわち、起床時等の同一機会内の情報が複数存在しているときは、ＳＴ１４へ進む。
ＳＴ１４では、今回の血圧測定結果情報の測定時刻を基準に１０分以内の測定時刻情報を有する血圧測定結果情報を「測定血圧情報記憶部３３」から抽出すると共に、その平均値情報を求め、図３の「測定平均値情報記憶部３６」に記憶させる。
すなわち、図２の「測定平均値情報生成処理部（プログラム）２０」が動作し、起床時等の同一機会（１０分）内の血圧測定結果情報を抽出して、その平均値情報を演算し、「測定平均値情報記憶部３６」に記憶する。
【００５５】
次いで、ＳＴ１５へ進む。ＳＴ１５では、図１等のディスプレイ１１に「同一機会測定結果情報」が表示される。
図９は、同一機会判定結果情報の画面例を示す概略説明図である。
図９に示すように、「同一機会測定結果情報」は、今回の血圧測定結果情報の測定時刻から１０分以内の測定時刻を有する血圧測定結果情報を有し、ディスプレイ１１に表示する際には、所定数（例えば、３データ）以内の血圧測定結果情報の最高血圧及び最低血圧に限定される。また、「同一機会測定結果情報」には、「測定平均値情報記憶部３６」の平均値情報も含まれ、この平均値情報は、ディスプレイ１１にも表示される。
さらに、図９に示すように、ディスプレイ１１には、各血圧測定結果情報の間の測定間隔時間情報も表示され、この測定間隔時間情報も「同一機会測定結果情報」に含まれる。
【００５６】
この図９に示す情報の表示は、図２の「同一機会測定結果表示処理部（プログラム）２１」が実行する。
【００５７】
したがって、図９の画面を視認した血圧測定の対象者や医師等は、起床時等の同一機会における複数の血圧測定結果情報を相互に関連付けて評価することができ、対象者の体調等を的確に判断することができる。
【００５８】
次いで、ＳＴ１６へ進み、この「同一機会測定結果情報」として抽出された複数の血圧測定結果情報は、同一機会血圧測定結果情報群として、相互に関連付けて「測定血圧情報記憶部３３」に記憶される。
具体的には、図２の「同一機会測定結果情報関連付け処理部（プログラム）２２」が実行する。
したがって、かかる「同一機会測定結果情報」は、容易にディスプレイ１１に表示させることができ、評価等を行うことができる。
【００５９】
また、本実施の形態では、図９等に示すように、情報をディスプレイ１１に表形式で示す例としたが、本発明は、これに限らず、グラフ等の形式として表示させても良い。
また、本実施の形態では、血圧測定の対象者の変更の有無の判断にカフ着脱センサ４１を用いたが、本発明はこれに限らず、カフ付属のマイクを用いてもよく、また、対象者毎のＩＤ等の識別情報を管理することで、その変更の有無を判断しても良い。
【符号の説明】
【００６０】
１・・・血圧計、１０・・・血圧計本体、１１・・・ディスプレイ、１２・・・血圧計制御部、１３・・・血圧計本体部、１４・・・測定開始ボタン、１５・・・計時装置、１６・・・測定開始ボタン押下時刻情報入力処理部（プログラム）、１７・・・不十分間隔連続測定判断処理部（プログラム）、１８・・・カフ取り外し情報存否判断処理部（プログラム）、１９・・・同一機会判断処理部（プログラム）、２０・・・測定平均値情報生成処理部（プログラム）、２１・・・同一機会測定結果表示処理部（プログラム）、３０・・・各種情報記憶部、３１・・・測定開始ボタン押下時刻情報記憶部、３２・・・血圧測定間隔情報記憶部、３３・・・測定血圧情報記憶部、３４・・・カフ取り外し情報記憶部、３５・・・同一機会基準情報記憶部、３６・・・測定平均値情報記憶部、４０・・・カフ装置、４１・・・カフ着脱センサ
【図１】
0005909109.tif 000002
【図２】
0005909109.tif 000003
【図３】
0005909109.tif 000004
【図４】
0005909109.tif 000005
【図５】
0005909109.tif 000006
【図６】
0005909109.tif 000007
【図７】
0005909109.tif 000008
【図８】
0005909109.tif 000009
【図９】
0005909109.tif 000010